(57)【要約】【課題】一人親家庭のなかでも特に母子家庭の母親が働きながら快適かつ安心に子育てを行うことができる子育て支援マンションを提供する。【解決手段】本発明の子育て支援マンション１においては、保育所スペース２、保育所スペース２と異なる階に設けられた複数の住戸スペース３、所定寸法のエレベータ４及び共用廊下５に平滑床がそれぞれ設けられており、子育て支援マンション１に設置された手押し車６が容易に滑走しやすいようになっている。【選択図】図２
2012158905.tif 000002
【特許請求の範囲】
【請求項１】
任意の階に設けられているとともに、スペース内部に設けられた所望の部屋からスペース外部との出入りを行う出入口までの間において段差のない平滑床を有する１個又は複数個の保育所スペースと、
前記保育所スペースが設けられた階と異なる階に設けられているとともに、スペース内部に設けられた所望の部屋からスペース外部との出入りを行う出入口までの間において段差のない平滑床を有する複数の住戸スペースと、
幅８００ｍｍ以上の出入口と、幅１０００ｍｍ以上及び奥行き１５００ｍｍ以上のスペース内部と、段差のない平滑床とを有するエレベータと、
幅が１０００ｍｍ以上に設定されているとともに、前記保育所スペースの出入口から前記エレベータの出入口まで及び前記住戸スペースの出入口から前記エレベータの出入口までの間において段差のない平滑床を各階に有する共用廊下と、
前記保育所スペース、前記住戸スペース、前記エレベータ及び前記共用廊下に係る各平滑床の上を滑走する車輪付ベビーベッドを含む手押し車と
を備えることを特徴とする子育て支援マンション。
【請求項２】
外部から入場するときに最初の出入口となる外側出入口と、閉じたときに自動的に施錠を行う内側出入口と、前記外側出入口と前記内側出入口との間の所望の空間に設けられた玄関フロアと、前記玄関フロア内であって前記内側出入口の付近において前記内側出入口に対する所定の解錠入力を行うための解錠入力手段と、前記内側出入口に対峙した入場者に対して前記入場者の後方に位置する前記玄関フロアを映し出す映写手段とを有する玄関スペースを備える
ことを特徴とする請求項１に記載の子育て支援マンション。
【請求項３】
前記玄関スペースに係る前記玄関フロア、前記共用廊下及び前記保育所スペースのうちの少なくとも前記玄関フロアを撮影する監視カメラを備えており、
前記映写手段は、前記玄関スペースに係る前記玄関フロア、前記共用廊下及び前記保育所スペースのうちの少なくとも前記玄関フロアに設置されているとともに前記監視カメラにより撮影された画像を表示する画像表示ディスプレイである
ことを特徴とする請求項２に記載の子育て支援マンション。
【請求項４】
前記映写手段は、前記内側出入口に係る前記外側出入口側の表面又は透明材料を用いて形成された前記内側出入口よりも内側において正対して起立する板若しくは壁の表面のいずれかの表面に貼付された鏡である
ことを特徴とする請求項２に記載の子育て支援マンション。
【請求項５】
前記玄関スペースは、前記玄関フロア内であって前記内側出入口と対峙する位置において前記入場者の入場方向と平行に起立しているとともに前記内側出入口の開放幅と同等又はそれよりも小さな間隔に設定された２枚の側方侵入防止用衝立を有する
ことを特徴とする請求項２から請求項４のいずれか１項に記載の子育て支援マンション。
【請求項６】
前記玄関スペースが設けられた階における前記共用廊下に係る前記玄関スペースから前記エレベータの出入口までの間の部分はＬ字形状又はクランク形状に形成されている
ことを特徴とする請求項１から請求項５のいずれか１項に記載の子育て支援マンション。
【請求項７】
前記共用廊下は、前記保育所スペース、前記住戸スペース、前記エレベータ、玄関スペースその他の内部スペースによって取り囲まれることにより、外部から直接視認できない位置に設けられており、
前記内部スペースに係るすべての出入口は、前記共用廊下側かつ前記玄関スペースから視認できない位置に設けられている
ことを特徴とする請求項１から請求項６のいずれか１項に記載の子育て支援マンション。
【請求項８】
屋上階において前記保育所スペースを利用する園児が遊ぶための園庭スペースを備える
ことを特徴とする請求項１から請求項７のいずれか１項に記載の子育て支援マンション。
【請求項９】
前記住戸スペースは、１Ｒ（ルーム）、１Ｋ（キッチン）、１ＤＫ（ダイニング・キッチン）、１ＬＤＫ（リビング・ダイニング・キッチン）と称する部屋タイプである
ことを特徴とする請求項１から請求項８のいずれか１項に記載の子育て支援マンション。
【発明の詳細な説明】
【技術分野】
【０００１】
本発明は、子育て支援マンションに係り、特に、母子家庭に代表される一人親家庭の親が働きながら快適かつ安心に子育てを行うのに好適に利用できる子育て支援マンションに関する。
【背景技術】
【０００２】
従来のマンションに住居する子育て家庭の親が働きながら子育てを行う場合、一般に、マンションの近隣に設置された保育所や知人宅に子供を預けてから職場に向かうことが多い。
【先行技術文献】
【特許文献】
【０００３】
【特許文献１】特開２００１−２８８９０７号公報
【発明の概要】
【発明が解決しようとする課題】
【０００４】
しかしながら、子育て家庭が一人親家庭の場合、その単親者に対して父母２人分の子育て負担が大きくのしかかってしまうという問題があった。特に、一人親家庭が母子家庭の場合、シングルマザーと称される単親の母親の体力や収入が単親の男親の体力や収入よりも劣る傾向にあるため、肉体的及び経済的な観点から単親の男親よりも負担が大きいといった深刻な問題があった。
【０００５】
毎日行う保育所の送迎を一例にすると、ときに親の言うことを聞かない子供を引き連れて子供の歩く速度で又は子供を抱いた状態で保育所に毎日送迎しなければならないため、保育所へ子供を送迎したことがない人が想像するよりも大きな時間的及び体力的負担を一人親に掛けている。保育所送迎の時間的及び体力的負担が過度に大きくなると、その一人親の仕事や家事、育児にそのしわ寄せが生じるため、一人親の精神的負担になってしまう。
【０００６】
また、成人女性や子供は成人男性よりも犯罪に巻き込まれやすい傾向にあるため、一人親家庭のなかでも特に母子家庭にとっては日々の生活において防犯面でも多大な負担を強いられることになる。これは、一人親家庭が精神的に不安な日々を送らなければならないという問題に繋がる。
【０００７】
そこで、本発明はこれらの点に鑑みてなされたものであり、一人親家庭のなかでも特に母子家庭の母親が働きながら快適かつ安心に子育てを行うことができる子育て支援マンションを提供することを本発明の目的としている。
【課題を解決するための手段】
【０００８】
前述した目的を達成するため、本発明の子育て支援マンションは、その第１の態様として、任意の階に設けられているとともに、スペース内部に設けられた所望の部屋からスペース外部との出入りを行う出入口までの間において段差のない平滑床を有する１個又は複数個の保育所スペースと、保育所スペースが設けられた階と異なる階に設けられているとともに、スペース内部に設けられた所望の部屋からスペース外部との出入りを行う出入口までの間において段差のない平滑床を有する複数の住戸スペースと、幅８００ｍｍ以上の出入口と、幅１０００ｍｍ以上及び奥行き１５００ｍｍ以上のスペース内部と、段差のない平滑床とを有するエレベータと、幅が１０００ｍｍ以上に設定されているとともに、保育所スペースの出入口からエレベータの出入口まで及び住戸スペースの出入口からエレベータの出入口までの間において段差のない平滑床を有する共用廊下と、保育所スペース、住戸スペース、エレベータ及び共用廊下に係る各平滑床の上を滑走する車輪付ベビーベッドを含む手押し車とを備えていることを特徴としている。
【０００９】
本発明の第１の態様の子育て支援マンションによれば、子育て支援マンション内に保育所スペースがあるので、保育所に通う子供の送迎に係る負担を軽減することができる。また、保育所に通う子供を子育て支援マンションから外出させることなく送迎することができるので、子育て家庭の中でも特に一人親家庭の負担を軽減することができるとともに子供への安全の配慮を向上させることができる。また、保育所スペースから住戸スペースまでの間は平滑なので、保育所スペースから住戸スペースまでの間の手押し車の行き来を容易にすることができる。特に、手押し車である車輪付ベビーベッドに子供が寝ている場合、車輪付ベビーベッドに子供を寝かせたまま保育所スペースから住戸スペースまで車輪付ベビーベッドを移動させることが容易になる。
【００１０】
本発明の第２の態様の子育て支援マンションは、第１の態様の子育て支援マンションにおいて、外部から入場するときに最初の出入口となる外側出入口と、閉じたときに自動的に施錠を行う内側出入口と、外側出入口と内側出入口との間の所望の空間に設けられた玄関フロアと、玄関フロア内であって内側出入口の付近において内側出入口に対する所定の解錠入力を行うための解錠入力手段と、内側出入口に対峙した入場者に対して入場者の後方に位置する玄関フロアを映し出す映写手段とを有する玄関スペースを備えることを特徴としている。
【００１１】
本発明の第２の態様の子育て支援マンションによれば、施錠した内側出入り口を入居者やその来訪者など正規の入場者が解錠して子育て支援マンションに入場する際に映写手段によりその入場者の後方を確認することができるので、入場者が入場する際にその入場者とともに玄関フロアに潜んだ不審者が不正に侵入してしまうことを抑制することができる。
【００１２】
本発明の第３の態様の子育て支援マンションは、第２の態様の子育て支援マンションにおいて、玄関スペースに係る玄関フロア、共用廊下及び保育所スペースのうちの少なくとも玄関フロアを撮影する監視カメラを備えており、映写手段は、玄関スペースに係る玄関フロア、共用廊下及び保育所スペースのうちの少なくとも玄関フロアに設置されているとともに監視カメラにより撮影された画像を表示する画像表示ディスプレイであることを特徴とする。
【００１３】
本発明の第３の態様の子育て支援マンションによれば、少なくとも玄関フロアを映し出す監視カメラの画像を少なくとも玄関フロアにいる入場者が確認することができるので、不審者が不正に侵入してしまうことを抑制することができる。監視カメラが共用廊下及び保育所スペースにも設置され、画像表示ディスプレイも共用廊下及び保育所スペースに設置されている場合、画像表示ディスプレイを介して不審者の侵入を監視する人数が多くなり、監視体制を強化することができる。
【００１４】
本発明の第４の態様の子育て支援マンションは、第２の態様の子育て支援マンションにおいて、映写手段は、内側出入口に係る外側出入口側の表面又は透明材料を用いて形成された内側出入口よりも内側において正対して起立する板若しくは壁の表面のいずれかの表面に貼付された鏡であることを特徴としている。
【００１５】
本発明の第４の態様の子育て支援マンションによれば、監視カメラや画像ディスプレイなどの大がかりな設備を用いることなく、入場者の後方確認を行うことができる。
【００１６】
本発明の第５の態様の子育て支援マンションは、第２から第４のいずれか１の態様の子育て支援マンションにおいて、玄関スペースは、玄関フロア内であって内側出入口と対峙する位置において入場者の入場方向と平行に起立しているとともに内側出入口の開放幅と同等又はそれよりも小さな間隔に設定された２枚の側方侵入防止用衝立を有することを特徴としている。
【００１７】
本発明の第５の態様の子育て支援マンションによれば、入場者が確認しにくい内側出入口の側方から不審者の不正侵入を防止することができる。
【００１８】
本実施形態の第６の態様の子育て支援マンションは、第１から第６のいずれか１の態様の子育て支援マンションにおいて、玄関スペースが設けられた階における共用廊下に係る玄関スペースからエレベータの出入口までの間の部分はＬ字形状又はクランク形状に形成されていることを特徴としている。
【００１９】
本発明の第６の態様の子育て支援マンションによれば、子育て支援マンションにおいて監視スペースとなりやすい玄関スペースから不審者が子育て支援マンションの内部を盗み見することを防止することができる。
【００２０】
本発明の第７の態様の子育て支援マンションは、第１から第６のいずれか１の態様の子育て支援マンションにおいて、共用廊下は、保育所スペース、住戸スペース、エレベータ、玄関スペースその他の内部スペースによって取り囲まれることにより、外部から直接視認できない位置に設けられており、内部スペースに係るすべての出入口は、共用廊下側かつ玄関スペースから視認できない位置に設けられていることを特徴としている。
【００２１】
本発明の第７の態様の子育て支援マンションによれば、玄関スペース以外の場所から不審者が子育て支援マンションの内部スペースに侵入することを防止することができるとともに、不審者が開放された各スペースの出入口を通して玄関スペースから各スペースの内部を監視又は盗撮することを防止することができる。
【００２２】
本発明の第８の態様の子育て支援マンションは、第１から第７のいずれか１の態様の子育て支援マンションにおいて、屋上階において保育所スペースを利用する園児が遊ぶ園庭スペースを備えることを特徴としている。
【００２３】
本発明の第８の態様の子育て支援マンションによれば、子育て支援マンションを外出することなく、屋上の園庭スペースにて遊ばせることができる。
【００２４】
本発明の第９の態様の子育て支援マンションは、第１から第８のいずれか１の態様の子育て支援マンションにおいて、住戸スペースは、１Ｒ（ルーム）、１Ｋ（キッチン）、１ＤＫ（ダイニング・キッチン）、１ＬＤＫ（リビング・ダイニング・キッチン）と称する部屋タイプであることを特徴としている。
【００２５】
本発明の第９の態様の子育て支援マンションによれば、一人親家庭、特に母子家庭にとって好適な広さと価格帯の住戸スペースを子育て支援付で提供することができる。
【発明の効果】
【００２６】
本発明の子育て支援マンションによれば、子育て支援マンション内の保育所スペースの確保、共用老化及びエレベータの適切な寸法設定及び平滑床による保育所スペースから住戸スペースまでの手押し車の移動容易性の向上、一人親家庭のなかでも特に母子家庭に適した住戸スペースの広さ設定、子育て支援マンションへの不審者の侵入防止その他の上記種々の作用を生じるので、一人親家庭のなかでも特に母子家庭の母親が働きながら快適かつ安心に子育てを行うことができるという効果を奏する。
【図面の簡単な説明】
【００２７】
【図１】本発明の子育て支援マンションの一実施形態を示す正面外観図
【図２】本実施形態の子育て支援マンションの１階を示す平面図
【図３】本実施形態の子育て支援マンションの２階から５階のいずれか１の階を示す平面図
【図４】本実施形態の子育て支援マンションの屋上階を示す平面図
【図５】本実施形態の子育て支援マンションの住戸スペースの一例を示す見取り図
【図６】本実施形態の子育て支援マンションにおける玄関スペースの一例を示す平面図
【図７】本実施形態の子育て支援マンションにおける玄関スペースの一例を示す平面図
【図８】他の実施形態の子育て支援マンションの１階を示す平面図
【図９】他の実施形態の子育て支援マンションにおける玄関スペースの内部を示す正面図
【発明を実施するための形態】
【００２８】
以下、本発明の子育て支援マンションをその一実施形態により説明する。図１から図４は、本実施形態の子育て支援マンションの外観、１階、２〜５階及び屋上階の一例を示している。また、各図の波線は手押し車の走行ルートを示している。
【００２９】
本実施形態の子育て支援マンション１は、図１から図４に示すように、１個又は複数個の保育所スペース２、複数の住戸スペース３、エレベータ４、各階に設けられた共用廊下５、手押し車６、園庭スペース７及び玄関スペース８を備えている。また、本実施形態の子育て支援マンション１は、図２から図４に示すように、ポスト９、管理人室１０、多目的スペース１１、駐輪スペース１２、手押し車収納スペース１３、自動販売機設置スペース１４、食堂スペース１５（又は多目的スペース１１）、キッチンスペース１５、階段スペース１６及び屋上収納スペース１７を備えることが好ましい。
【００３０】
保育所スペース２は、図２に示すように、任意の階に１個又は複数個設けられている。本実施形態においては、玄関スペース８と同じ１階に１個設置されている。また、保育所スペース２は、スペース内部に設けられた所望の部屋からスペース外部との出入りを行う出入口２ａまでの間において段差のない平滑床を有する。ただし、保育所スペース２の全ての床を平滑床にする必要はなく、保育所スペース２内において手押し車６を置く位置から保育所スペース２の出入口２ａまでの道のりの床を平滑床にすればよい。
【００３１】
住戸スペース３は、図３に示すように、保育所スペース２が設けられた階と異なる階に複数設けられている。本実施形態においては、２階から５階までの各階において各々５個ずつ設けられている。また、住戸スペース３は、スペース内部に設けられた所望の部屋からスペース外部との出入りを行う出入口３ａまでの間において段差のない平滑床を有する。ただし、保育所スペース２の平滑床と同様、住戸スペース３の全ての床を平滑床にする必要はなく、住戸スペース３内において手押し車６を置く位置から住戸スペース３の出入口３ａまでの道のりの床を平滑床にすればよい。
【００３２】
図５は、本実施形態の子育て支援マンション１の住戸スペース３の一例を示す見取り図である。一人親家庭が入居する住戸スペース３の場合、広い部屋タイプを洗濯すると、子供が見えない範囲で遊んだり、家賃や販売価格が高くなったりするので好ましいとはいえない。そこで、本実施形態の住戸スペース３における部屋タイプは、子育てや料金面の観点から、１Ｒ（ルーム）、１Ｋ（キッチン）、１ＤＫ（ダイニング・キッチン）、１ＬＤＫ（リビング・ダイニング・キッチン）であっておおむね６０ｍｍ２以下の広さであることが好ましい。
【００３３】
手押し車６は、図２に示すように、保育所スペース２、住戸スペース３、エレベータ４及び共用廊下５に係る各平滑床の上を滑走するために用いられるものである。この手押し車６は、車輪付ベビーベッド、家庭用ベビーカー、保育所等の施設用大型ベビーカーなどが一例に挙げられる。本実施形態の手押し車６は、車輪付ベビーベッドを想定している。この車輪付ベビーベッドの寸法が一般的なベビーベッドの寸法と同様に設定されている場合、その長さ寸法は１２００ｍｍであり、その幅寸法は７００ｍｍである。
【００３４】
なお、一般的な家庭用ベビーカーの長さ寸法はおおむね１０００ｍｍ、その幅寸法はおおむね５００ｍｍである。また、一般的な施設用大型ベビーカーの長さ寸法はおおむね１２００ｍｍ、その幅寸法はおおむね６００ｍｍである。そして、人間の肩幅はおおむね５００ｍｍである。
【００３５】
手押し車収納スペース１３は、図３に示すように、住戸スペース３が設けられた各階において手押し車６を収納するスペースである。手押し車６が車輪付ベビーベッドの場合、通常、住戸スペース３又は保育所スペース２の内部に収納されるが、手押し車６が家庭用ベビーカー又は施設用大型ベビーカーであって住戸スペース３のある階に持ち出した場合、住戸スペース３へ収納すると住戸スペース３が狭くなる。その際に、手押し車６を収納するために手押し車収納スペース１３が利用される。
【００３６】
エレベータ４は、図２及び図３に示すように、幅８００ｍｍ以上の出入口４ａ、幅１０００ｍｍ以上及び奥行き１５００ｍｍ以上のスペース内部４ｂ、及び、段差のない平滑床を有する。エレベータ４の寸法は、手押し車６及びそれを取り扱う人間の肩幅を考慮し、その取扱を容易にするために設定されている。
【００３７】
共用廊下５は、図２に示すように保育所スペース２の出入口２ａからエレベータ４の出入口４ａまで及び図３に示すように住戸スペース３の出入口３ａからエレベータ４の出入口４ａまでの間において段差のない平滑床を有する。また、共用廊下５の幅寸法は、１０００ｍｍ以上に設定されている。共用廊下５において手押し車６のすれ違いを可能にする場合、その幅寸法はおおむね２０００ｍｍ以上であることが好ましい。
【００３８】
また、共用廊下５は、図２に示すように、Ｌ字形状又はクランク形状に形成されていることが好ましい。本実施形態の場合、共用廊下５においてＬ字形状に形成される部分は、１階に設けられた玄関スペース８からエレベータ４の出入口４ａまでの間である。
【００３９】
さらに、共用廊下５は、図２及び図３に示すように、保育所スペース２、住戸スペース３、エレベータ４、玄関スペース８その他の内部スペースによって取り囲まれることにより、外部から直接視認できない位置に設けられていることが好ましい。この場合、内部スペースに係るすべての出入口は、図２に示すように、共用廊下５側かつ玄関スペース８から視認できない位置に設けられていることが好ましい。
【００４０】
ポスト９は、図２に示すように、防犯の観点上、玄関スペース８を通らずとも配達人Ｈｄにより配達ができるように、子育て支援マンション１の外壁にその投函口を有している。
【００４１】
管理人室１０は、図２に示すように、玄関スペース８に隣接しており、玄関スペース８の内部が一望できるとともに入場者Ｈａと管理人Ｈｃとの会話を容易にする受付窓を有している。
【００４２】
１階に設けられた多目的スペース１１は、図２に示すように、子育て支援マンション１の入居者の交流を図るために設けられている。また、保育所スペース２が足りない場合に多目的スペース１１を保育所スペース２の一部として利用可能なように、保育所スペース２と同階かつ近接した位置に設けられている。
【００４３】
駐輪スペース１２は、主に自転車やミニバイクの駐輪を主目的として設けられている。この駐輪スペース１２は、図２に示すように、駐輪対象車の盗難及び駐輪対象車を駐輪する際に不審者Ｈｂに不意に襲われることを防止するため、子育て支援マンション１の内部に設けられている。その出入口についても、共用廊下５側に設けられている。
【００４４】
自動販売機設置スペース１４は、主に、デッドスペースとなりやすい共用廊下５の両端部に設けられている。自動販売機設置スペース１４に配置される自動販売機が取り扱う商品は、一般的な飲料品だけでなく、ミルク缶や紙おむつ、乳幼児用おやつ、乳幼児用飲料水など、子育てに必要であって予備がなくなると子育てに大きな支障をきたすものを取り扱うことが好ましい。
【００４５】
園庭スペース７は、図５に示すように、屋上階に設けられている。この園庭スペース７は、主に保育所スペース２を利用する園児が遊ぶことを目的に作られているが、保育所に通っていない時間帯に入居者が利用しても良い。
【００４６】
食堂スペース１５及びキッチンスペース１５は、図５に示すように、主に、保育所スペース２を利用する子供達が保育士の付き添いの下で保育時に食事する際に利用される。もちろん、子供の保育時以外であっても父子又は母子が利用できるようにしても良い。また、食堂スペース１５が保育所スペース２にある場合や食事以外の時間帯の場合、食堂スペース１５を多目的スペース１１として利用しても良い。
【００４７】
次に、図２、図６及び図７を用いて、玄関スペース８について説明する。図６及び図７は、本実施形態の子育て支援マンション１における玄関スペース８の一例を各々示している。
【００４８】
玄関スペース８は、図２、図６及び図７に示すように、外側出入口８ａ、内側出入口８ｂ、玄関フロア８ｃ、解錠入力手段８ｄ、映写手段８ｅ及び２枚の側方侵入防止用衝立８ｆを有している。
【００４９】
外側出入口８ａは、図６又は図７に示すように、子育て支援マンション１の外部から入場者Ｈａが入場するときに最初に通過する第１の出入口である。
【００５０】
内側出入口８ｂは、図６又は図７に示すように、外側出入口８ａの次に通過する第２の出入口である。この内側出入口８ｂは、いわゆるオート・ドアロック・システムを採用しており、それが閉じたときに自動的に施錠を行うように形成されている。
【００５１】
玄関フロア８ｃは、図６又は図７に示すように、外側出入口８ａと内側出入口８ｂとの間に設けられた所望の空間である。玄関フロア８ｃの長さ（奥行き）寸法は特に指定されていないが、その寸法があまりにも小さいと外側出入口８ａが閉じる前に内側出入口８ｂが開放してしまい、不審者Ｈｂの侵入を容易にするために好ましくない。また、あまりにも玄関フロア８ｃが広すぎると不審者Ｈｂの存在を見落としやすくなるのでこれも好ましくない。
【００５２】
解錠入力手段８ｄは、図６又は図７に示すように、上記のオート・ドアロック・システムにおける内側出入口８ｂの解錠操作を行うためのものである。この解錠入力手段８ｄは、玄関フロア８ｃ内であって内側出入口８ｂの付近（図２においては内側出入口８ｂに対峙する入場者Ｈａの左側）に設置されている。なお、解錠方法としては、従来と同様、物理的な鍵の挿入及び回転操作による機械的な解錠、暗証番号の入力による電気的な解錠、入場者Ｈａの行き先の住戸スペース３の部屋番号を入力してその入居者とインターフォンを用いて連絡を取り合い、入居者が住戸スペース３から遠隔操作して解錠を行う遠隔解錠などが一例としてあげられる。
【００５３】
映写手段８ｅは、図６又は図７に示すように、内側出入口８ｂに対峙した入場者Ｈａに対し、入場者Ｈａの後方に位置する玄関フロア８ｃを映し出す手段である。映写手段８ｅとしては、玄関フロア８ｃに設置された監視カメラが撮像した画像を映し出す画像ディスプレイであってもよいし、鏡であっても良い。
【００５４】
本実施形態の映写手段８ｅとしては、鏡が選択されている。この映写手段８ｅとなる鏡は、その一例として、図６に示すように、内側出入口８ｂにおける外側出入口８ａ側の表面に貼付されている。また、内側出入口８ｂが透明材料を用いて形成されている場合、この映写手段８ｅとなる鏡は、その一例として、図７に示すように、内側出入口８ｂよりも内側、つまり共用廊下５において内側出入口８ｂに正対して起立する板８ｇ若しくは壁５ａの表面に貼付されていてもよい。映写手段８ｅとなる鏡の大きさとしては、不審者Ｈｂの見落としを防ぐため、内側出入口８ｂの大きさと同等若しくはそれ以上に設定されていることが好ましい。
【００５５】
２枚の側方侵入防止用衝立８ｆは、図６又は図７に示すように、玄関フロア８ｃ内であって内側出入口８ｂと対峙する位置において起立している。これら２枚の側方侵入防止用衝立８ｆの向きは、入場者Ｈａの入場方向（図６又は図７に示した波線矢印の向きを参照）と平行に設定されている。また、これら２枚の側方侵入防止用衝立８ｆの間隔は、内側出入口８ｂの開放幅と同等又はそれよりも小さな間隔に設定されていることが好ましい。
【００５６】
なお、各出入口に設けられるドアとしては、子供や荷物を持った親の操作性を考慮し、スライド・ドア又はレバータイプのドアノブを有するドアであることが好ましい。また、小さな子供が階段エリアに誤って進入してしまうことを防止するため、階段エリアに設けるドアとしては、子供による操作を困難にするドアノブを有するドアであることが好ましい。このドアノブの一例としては、ある程度以上の握力を必要とする握り玉タイプのドアノブが挙げられる。また、ドア自体の重量を重くしたり、そのスライドレール又は回転軸の抵抗を大きくしたりすることにより、ドアの操作感を重くすることも一策である。
【００５７】
次に、本実施形態の子育て支援マンション１の作用及び効果を説明する。
【００５８】
本実施形態の子育て支援マンション１においては保育所スペース２があるので、保育所に通う子供の送迎に係る負担を軽減することができる。
【００５９】
また、保育所に通う子供を子育て支援マンション１から外出させることなく送迎することができるので、子育て家庭の中でも特に一人親家庭の負担を軽減することができるとともに子供への安全の配慮を向上させることができる。
【００６０】
また、保育所スペース２から住戸スペース３までの間は平滑なので、保育所スペース２から住戸スペース３までの間の手押し車６の行き来を容易にすることができる。特に、手押し車６である車輪付ベビーベッドに子供が寝ている場合、車輪付ベビーベッドに子供を寝かせたまま保育所スペース２から住戸スペース３まで車輪付ベビーベッドを移動させることが容易になる。
【００６１】
また、本実施形態の子育て支援マンション１においては、屋上階に園庭スペース７があるので、子育て支援マンション１を外出することなく、屋上の園庭スペース７にて遊ばせることができる。
【００６２】
また、本実施形態の子育て支援マンション１における住戸スペース３は、１Ｒ（ルーム）、１Ｋ（キッチン）、１ＤＫ（ダイニング・キッチン）、１ＬＤＫ（リビング・ダイニング・キッチン）と称する部屋タイプであるので、一人親家庭、特に母子家庭にとって好適な広さと価格帯の住戸スペース３を子育て支援付で提供することができる。
【００６３】
また、本実施形態の子育て支援マンション１の玄関スペース８においては、映写手段８ｅが設けられている。このため、施錠した内側出入り口を入居者やその来訪者など正規の入場者Ｈａが解錠して子育て支援マンション１に入場する際、その映写手段８ｅによりその入場者Ｈａの後方を確認することができるので、入場者Ｈａが入場する際にその入場者Ｈａとともに玄関フロア８ｃに潜んだ不審者Ｈｂが不正に侵入してしまうことを抑制することができる。
【００６４】
ここで、本実施形態の映写手段８ｅは、所定の位置に配置された鏡であるため、監視カメラや画像ディスプレイなどの大がかりな設備を用いることなく、入場者Ｈａの後方確認を行うことができる。
【００６５】
また、本実施形態の玄関スペース８においては、所定の位置及び間隔に設定された２枚の側方侵入防止用衝立８ｆが設けられている。そのため、入場者Ｈａが確認しにくい位置である内側出入口８ｂの側方から不審者Ｈｂの不正侵入を防止することができる。
【００６６】
また、本実施形態の玄関スペース８と同階の共用廊下５の形状はＬ字形状又はクランク形状に形成されている。そのため、子育て支援マンション１において監視スペースとなりやすい玄関スペース８から不審者Ｈｂが子育て支援マンション１の内部を盗み見することを防止することができる。
【００６７】
そして、本実施形態の共用廊下５は、各スペースに取り囲まれることにより外部から直接視認できない位置に設けられており、かつ、すべての出入口が玄関スペース８から視認できない位置に設けられている。そのため、玄関スペース８以外の場所から不審者Ｈｂが子育て支援マンション１の内部スペースに侵入することを防止することができるとともに、不審者Ｈｂが開放された各スペースの出入口を通して玄関スペース８から各スペースの内部を監視又は盗撮することを防止することができる。
【００６８】
すなわち、本実施形態の子育て支援マンションによれば、子育て支援マンション内の保育所スペースの確保、共用老化及びエレベータの適切な寸法設定及び平滑床による保育所スペースから住戸スペースまでの手押し車の移動容易性の向上、一人親家庭のなかでも特に母子家庭に適した住戸スペースの広さ設定、子育て支援マンションへの不審者の侵入防止その他の上記種々の作用を生じるので、一人親家庭のなかでも特に母子家庭の母親が働きながら快適かつ安心に子育てを行うことができるという効果を奏する。
【００６９】
なお、本発明は、前述した実施形態などに限定されるものではなく、必要に応じて種々の変更が可能である。
【００７０】
例えば、図８及び図９に示すように、他の実施形態の子育て支援マンションにおいては、玄関スペース８に係る玄関フロア、エレベータ４、共用廊下５及び保育所スペース２を撮影する複数の監視カメラ２１を備えている。そして、玄関スペース８に係る玄関フロアに設置された映写手段８ｅは、鏡の代わりに、玄関スペースに係る玄関フロア、共用廊下及び保育所スペースに設置されており、監視カメラ２１により撮影された画像を表示する画像表示ディスプレイ２２となっている。
【００７１】
上記した他の実施形態の子育て支援マンションによれば、少なくとも玄関フロアを映し出す複数の監視カメラ２１の画像を少なくとも玄関フロア８にいる入場者が確認することができるので、不審者が不正に侵入してしまうことを抑制することができる。監視カメラ２１が玄関フロア８ｃだけでなく共用廊下５及び保育所スペース２にも複数個設置されており、画像表示ディスプレイ２２も玄関フロア８だけでなく共用廊下５及び保育所スペース２に複数個設置されている場合、画像表示ディスプレイ２２を介して不審者の侵入を監視する人が入場者、共用廊下を歩いている入居者等、保育所スペースにいる保育士など、人数が多くなり、監視体制を強化することができる。
【符号の説明】
【００７２】
１  子育て支援マンション
２  保育所スペース
３  住戸スペース
４  エレベータ
５  共用廊下
６  手押し車
７  園庭スペース
８  玄関スペース
９  ポスト
１０  管理人室
１１  多目的スペース
１２  駐輪スペース
１３  自動販売機設置スペース
１４  食堂スペース
１５  キッチンスペース
１６  階段スペース
１７  屋上収納スペース
Ｈａ  入場者
Ｈｂ  侵入者
Ｈｄ  配達者
【図１】
2012158905.tif 000003
【図２】
2012158905.tif 000004
【図３】
2012158905.tif 000005
【図４】
2012158905.tif 000006
【図５】
2012158905.tif 000007
【図６】
2012158905.tif 000008
【図７】
2012158905.tif 000009
【図８】
2012158905.tif 000010
【図９】
2012158905.tif 000011